【事件の表示】
　平成１０年特許願第２４６１６３号「賞球遊技台の集中管理装置」拒絶査定不服審判事件〔平成１１年　９月　７日出願公開、特開平１１−２３９６５４〕について、次のとおり審決する。
【結　論】
　本件審判の請求は、成り立たない。
【理　由】
一．手続の経緯  
　本願は、特許法第４１条に基づく優先権主張を伴う平成１０年８月３１日（優先日：平成９年１２月２６日、出願番号：特願平９−３６０７７２号）の出願であって、平成１５年４月８日付けで拒絶査定がなされ、これに対し、同年５月１３日に拒絶査定に対する審判請求がなされるとともに、同年６月１１日付けで手続補正がなされたものである。  
　
二．平成１５年６月１１日付けの手続補正についての補正却下の決定  
［補正却下の決定の結論］ 
　平成１５年６月１１日付けの手続補正（以下、「本件補正」という。）を却下する。 
［理由］  
１．補正内容
　本件補正は、特許請求の範囲について、請求項１乃至１１を請求項１及び２に変更するものであり、本件補正前後の特許請求の範囲の記載は次のとおりである。
　
・本件補正前の請求項１乃至１１
「【請求項１】　賞球遊技場内に配設された島（６）に並設された賞球遊技台（２）から出力される各種遊技情報データを管理すべく賞球遊技場に設置された遊技情報データ管理装置（７）と、
　該遊技情報データ管理装置（７）に前記各賞球遊技台（２）から出力された各種遊技情報データを送り込むべく各賞球遊技台（２）と前記遊技情報データ管理装置（７）間に設けられた通信路（８）とを備え、
　しかも前記遊技情報データ管理装置（７）が、賞球遊技台（２）を島単位で管理すべく各島（６）に設けられた島コンピュータ（７ａ）と該島コンピュータ（７ａ）を夫々管理すべく賞球遊技場に設置された店舗管理コンピュータ（７ｂ）とからなる賞球遊技台の集中管理装置において、
　前記島（６）の通信路（８）には、各賞球遊技台（２）から出力され、且つ通信路（８）を介して島コンピュータ（７ａ）へと入力される各種遊技情報データを各賞球遊技台（２）と島コンピュータ（７ａ）との間で読み取ることで、各賞球遊技台（２）毎に予め設定された各種のデータ処理項目に対応した各種処理信号又は各賞球遊技台（２）毎に予め設定された各種のデータ処理項目に対応した各種処理データの少なくとも何れか一方を発して各種遊技情報データを加工処理する遊技情報データ読取処理装置（５）が各賞球遊技台（２）に対応すべく接続されてなることを特徴とする賞球遊技台の集中管理装置。
【請求項２】　賞球遊技場内に配設された島（６）に並設された賞球遊技台（２）から出力される各種遊技情報データを管理すべく賞球遊技場に設置された遊技情報データ管理装置（７）と、該遊技情報データ管理装置（７）に前記各賞球遊技台（２）から出力された各種遊技情報データを送り込むべく各賞球遊技台（２）と前記遊技情報データ管理装置（７）間に設けられた通信路（８）とを備え、
　しかも前記遊技情報データ管理装置（７）が、賞球遊技場に設置された店舗管理コンピュータ（７ｂ）のみで構成された賞球遊技台の集中管理装置において、
　前記通信路（８）には、各賞球遊技台（２）から出力され、且つ該通信路（８）を介して店舗管理コンピュータ（７ｂ）へと入力される各種遊技情報データを各賞球遊技台（２）と店舗管理コンピュータ（７ｂ）との間で読み取ることで、各賞球遊技台（２）毎に予め設定された各種のデータ処理項目に対応した各種処理信号又は各賞球遊技台（２）毎に予め設定された各種のデータ処理項目に対応した各種処理データの少なくとも何れか一方を発して各種遊技情報データを加工処理する遊技情報データ読取処理装置（５）が各賞球遊技台（２）に対応すべく接続されてなることを特徴とする賞球遊技台の集中管理装置。
【請求項３】　前記各賞球遊技台（２）に対応すべく通信路（８）に接続された遊技情報データ読取処理装置（５）が、各種賞球遊技台（２）の夫々から出力される異形式の各種遊技情報データを、遊技情報データ管理装置（７）にて管理可能な信号に変換すべく各賞球遊技台（２）に対応するように前記通信路（８）に設けられた信号変換装置（４）に一体的に具備されるか又は接続手段を介して取り付けられる構成にしてなることを特徴とする賞球遊技台の集中管理装置。
【請求項４】　前記遊技情報データ読取処理装置（５）には、各賞球遊技台（２）から出力される各種遊技情報データ又は／及び加工処理した各種処理信号又は加工処理した各種処理データの少なくとも一方を記憶することで個々の賞球遊技台（２）の賞球実績等の各種稼動状況を個々の賞球遊技台（２）毎に個別管理することが出来る記憶装置（１２）が設けられてなることを特徴とする請求項１乃至３の何れかに記載の賞球遊技台の集中管理装置。
【請求項５】　前記遊技情報データ読取処理装置（５）には、前記記憶装置（１２）に記憶された各種遊技情報データ又は／及び加工処理した各種処理信号又は加工処理した各種処理データの少なくとも一方を表示可能なデータ表示部（１３）が設けられてなることを特徴とする請求項４記載の賞球遊技台の集中管理装置。
【請求項６】　前記遊技情報データ読取処理装置（５）には、前記記憶装置（１２）に記憶された賞球遊技台（２）の各種遊技情報データ又は／及び加工処理した各種処理信号又は加工処理した各種処理データの少なくとも一方を外部出力するための出力部（１４）が設けられてなることを特徴とする請求項４又は５記載の賞球遊技台の集中管理装置。
【請求項７】　前記遊技情報データ読取処理装置（５）には、該遊技情報データ読取処理装置（５）に通信手段を介して入力される台調整に関する各種参考データを表示可能なデータ表示部（１３）が設けられてなることを特徴とする請求項１乃至６の何れかに記載の賞球遊技台の集中管理装置。
【請求項８】　前記遊技情報データ読取処理装置（５）には、通信手段を介して入力される台調整に関する各種参考データを外部出力するための出力部（１４）が設けられてなることを特徴とする請求項１乃至７の何れかに記載の賞球遊技台の集中管理装置。
【請求項９】　前記加工処理した各種処理信号又は加工処理した各種処理データの少なくとも何れか一方が、遊技情報データ読取処理装置（５）又は遊技情報データ管理装置（７）の少なくとも何れか一方にアクセス可能な情報端末（９）を介して読み取り可能な構成にしてなることを特徴とする請求項１乃至８の何れかに記載の賞球遊技台の集中管理装置。
【請求項１０】　前記遊技情報データ読取処理装置（５）には、情報端末通信用接続部（１１）が設けられてなることを特徴とする請求項１乃至９の何れかに記載の賞球遊技台の集中管理装置。
【請求項１１】　前記遊技情報データ読取処理装置（５）が個々の賞球遊技台（２）に対応して設けられ、しかも各遊技情報データ読取処理装置（５）の夫々が通信路（８）を介して個々に双方向通信可能な構成にしてなることを特徴とする請求項１乃至１０の何れかに記載の賞球遊技台の集中管理装置。」
　
・本件補正後の請求項１及び２
「【請求項１】　
賞球遊技台の集中管理装置（１）が、賞
読み取ることで、各賞球遊技台（２）毎に予め設定された各種のデータ処理項目に対応した各種処理信号又は各賞球遊技台（２）毎に予め設定された各種のデータ処理項目に対応した各種処理データの少なくとも何れか一方を発して各種遊技情報データを加工処理する遊技情報データ読取処理装置（５）と、
　
該遊技情報データ読取処理装置（５）を介して加工処理された各種処理信号又は処理データの少なくとも何れか一方を通信路（８）を介して受け取ると共に、各賞球遊技台（２）毎の業務実績データに加工処理して管理する遊技情報データ管理装置（７）とからなり、
しかも遊技情報データ読取処理装置（５）が、島（６）内で入れ替えた賞球遊技台（２）又は各種周辺機材等に対応すべく設定される各種のデータ処理項目の項目名及び項目内容の変更や増減を前記遊技情報データ管理装置（７）又は遊技情報データ読取処理装置（５）に直接アクセス可能な情報端末（９）より設定自在な構成にし
【請求項２】　
前記遊技情報データ読取処理装置（５）が、各種賞球遊技台（２）に対応するように設けられた信号変換装置（４）に一体的に具備されるか又は接続手段を介して取り付けられた構成にしてなることを特徴とする請求項１記載の
　
２．補正の適否
　そこで、補正の適否について検討するにあたり、まず、本件補正前の請求項１及び２と、本件補正後の請求項１を対比する。
　本件補正前の請求項１及び２に記載された「遊技情報データ管理装置（７）」は「賞球遊技場に設置された」との限定がなされたものであったが、本件補正後の請求項１の「遊技情報データ管理装置（７）」は、その限定が省かれている。
　また、本件補正前の請求項１の「遊技情報データ管理装置（７）」は「賞球遊技台（２）を島単位で管理すべく各島（６）に設けられた島コンピュータ（７ａ）と該島コンピュータ（７ａ）を夫々管理すべく賞球遊技場に設置された店舗管理コンピュータ（７ｂ）とからなる」との限定がなされたものであって、本件補正前の請求項２の「遊技情報データ管理装置（７）」は「賞球遊技場に設置された店舗管理コンピュータ（７ｂ）のみで構成された」との限定がなされたものであったが、本件補正後の請求項１の「遊技情報データ管理装置（７）」は、それらのいずれの限定も省かれている。
　したがって、「遊技情報データ管理装置（７）」になされた上記限定事項を省く本件補正後の請求項１に係る補正は、本件補正前の請求項１又は２のいずれを減縮するものでもない。
　
　次に、本件補正前の請求項３と本件補正後の請求項１を対比する。
　本件補正前の請求項３は、冒頭に「前記各賞球遊技台（２）」と記載されているにもかかわらず、他の請求項を引用しておらず、独立請求項であるなら「前記」を省いて記載すべきであるし、従属請求項であるなら請求項１又は２のいずれかを引用して記載すべきであるところの誤記と認められる。
　前者の場合は、本件補正前の請求項３の「賞球遊技台の集中管理装置」は「各賞球遊技台（２）に対応すべく通信路（８）に接続された遊技情報データ読取処理装置（５）が、各種賞球遊技台（２）の夫々から出力される異形式の各種遊技情報データを、遊技情報データ管理装置（７）にて管理可能な信号に変換すべく各賞球遊技台（２）に対応するように前記通信路（８）に設けられた信号変換装置（４）に一体的に具備されるか又は接続手段を介して取り付けられる構成にしてなることを特徴とする」との限定がなされたものであったが、本件補正後の請求項１の「賞球遊技台の集中管理装置」は、その限定が省かれているので、本件補正後の請求項１に係る補正は、補正前の請求項３を減縮するものではない。
　また、後者の場合は、前者の場合と同様の理由に加えて、本件補正前の請求項３は、本件補正前の請求項１又は２に構成要件を付加し、下位概念化したものであって、また、本件補正前の請求項１又は２における「遊技情報データ管理装置（７）」になされた上記限定事項を省くような記載も認められないので、本件補正前の請求項１及び２と、本件補正後の請求項１を対比して検討した上記理由と同様の理由により、本件補正後の請求項１に係る補正は、本件補正前の請求項３を減縮するものではない。
　
　さらに、本件補正前の請求項４乃至１１は、いずれも請求項１乃至３の発明に構成要件を付加し下位概念化したものであって、上記限定事項を省くような記載は認められないから、本件補正前の請求項１及び２、または、本件補正前の請求項３と、本件補正後の請求項１を対比して検討した上記理由と同様の理由により、本件補正後の請求項１に係る補正は、本件補正前の請求項４乃至１１のいずれを減縮するものでもない。
　
　よって、本件補正は、特許請求の範囲の減縮に該当しないから、平成１８年改正前特許法第１７条の２第４項第２号に該当せず、また、同項第１号、第３号又は第４号のいずれにも該当しないことは明らかである。
　以上のとおりであるから、本件補正は平成１８年改正前特許法第１７条の２第４項の規定に違反している。
　
３．むすび  
　本件補正は、平成１８年改正前特許法第１７条の２第４項の規定に違反するので、特許法第１５９条第１項において読み替えて準用する同法第５３条第１項の規定により却下すべきものである。
　
三．本願発明について 
１．本願発明 
　平成１５年６月１１日付けの手続補正は上記のとおり却下されたので、本願の請求項１乃至１１に係る発明は、平成１４年４月３０日付け手続補正書の特許請求の範囲の請求項１乃至１１に記載された事項により特定されるものであると認められるところ、本願の請求項１に係る発明（以下、「本願発明」という。）は、「二．１．」において、本件補正前の請求項１として記載したので、ここでは再掲しない。 
　
２．引用刊行物記載事項  
（１）原査定の拒絶理由に引用された刊行物である特開平４−２０８１７７号公報（以下、「引用例１」という。）の記載事項
「［実施例］
　第１図には本発明に係るデータ収集システムの一実施例が示されている。
この実施例では、パチンコ遊技機１００の遊技盤もしくはその裏面に設けられた全入賞球検出器１３１、特定入賞球検出器１３２ａ，１３２ｂ，１３２ｃ、特別入賞球検出器１３３ａ，ｌ３３ｂ、役物入賞球検出器１３４等各種入賞球検出器からの検出信号およびパチンコ遊技機１００の裏機構盤に設けられた遊技盤上の役物やランプを駆動するための役物制御装置１４０から出力されるランプ駆動信号ＬＰＤ、ソレノイド駆動信号ＳＬＤ、モータ駆動信号ＭＴＤ等の各種制御信号が、信号変換器２００ａ〜２００ｉを介して、バッファユニット３００に入力され、稼動データとしてサンプリングされるようになっている。
　上記信号変換器２００ａ〜２００ｉは、遊技機から抽出された信号をそのままの形で出力する機能（戻り信号出力機能）と、後段のバッファユニット３００に適した信号に変換する機能とを備えている。従って、上記戻り信号を遊技機の対応する部位に供給してやれば、パチンコ遊技機を通常の遊技状態で稼動させたときに、遊技制御に何ら影響を与えることなく抽出信号をバッファユニット３００へ供給しサンプリングさせることができる。」（第３頁右上欄第９行目〜同頁左下欄第１４行目）
　
「上記バッファユニット３００は、上記信号変換器２００ａ〜２００ｉを介して入力された信号およびスイッチＳＷ１１，ＳＷ１２からの入力を取り込んで保持するもので、このバッファユニット３００に保持されたデータはマルチプレクサＭＰＸ２を介して、データ収集装置４００によって読み取られるようになっている。これにより、数十台から数百台のパチンコ遊技機が設置されたシステムにおいてデータ収集装置４００が全台をスキャンしてその稼動データをリアルタイムで収集しようとしたときに、信号のパルス幅に比べてデータ量が多過ぎサンプリング漏れを起こすのを回避することができるようになる。」（第４頁右上欄第２〜１４行目）
　
「そして、データ収集装置４００で収集されたデータは、通信手段によって演算処理装置５００に渡され、各パチンコ遊技機の成績を知るのに判り易い形式に加工される。
　第２図および第３図には、上記バツファユニット３００の一実施例の正面図およびブロック図を示す。
　すなわち、このバッファユニット３００は、ケース本体３０１の前面に電源スィッチ３１０やデータのサンプリングを開始させるための稼動スイッチ３１１と、サンプリングを中断させるための中断スイッチ３１２と、後述のタイマやカウンタの値をクリアさせるリセットスイッチ３１３および各種データのカウンタ表示器３２０ａ〜３２０ｌとタイマ表示器３４０を備え、ケース本体３０１内には、上記スイッチ３１１〜３１３からの入力や信号変換器２００ａ〜２００ｉを介してパチンコ遊技機から入力される信号を記憶し、所定のパルスを形成して外部へ出力したり、上記各表示器３２０ａ〜３２０ｌに対する駆動信号を形成するための信号処理回路が構成された回路基板３５０が設けられている。
　このうち、回路基板３５０は、外部から入力された信号のノイズを除去するフィルタ回路３５１と、各種入賞球検出器１３１〜１３４からの検出信号や役物制御装置１４０から出力される役物のソレノイド駆動信号等を取り込んで保持するバッファ記憶手段３５２ａ〜３５２ｉと、このバッファ記憶手段３５２ａ〜３５２ｉの記憶に基づいてその数だけ所定のパルス幅のパルスを形成するパルス発生手段３５３ａ〜３５３ｉ、及び形成されたパルスを外部へ出力する出力ドライバ３５４ａ〜３５４ｉと、上記各カウンタ表示器３２０ａ〜３２０ｉをカウントアツプさせる駆動信号を出力するドライバ３５５ａ〜３５５ｉ等を備えている。」（第４頁左下欄第３行目〜同頁右下欄第１７行目）
　
「第１７図には、上記実施例をメーカのデータ収集システムに適用したときの態様を、また第１８図には上記実施例をパチンコ店の遊技システムに適用したときの態様をそれぞれ示す。
　両者の構成（ハードウェア）上の相違は次の数点のみである。
　すなわち、第１にバッファユニット３００はメ一力のシステムでは、パチンコ遊技機１００の上方の島設備６００の前面に露出して設けられるのに対し、パチンコ店のシステムでは第１８図に破線３００で示すごとく島設備６００の内部に配置される。第２にメーカのシステムでは売上げデータ等を入力するための特殊スイッチＳＷ１１，ＳＷ１２等を備えた操作パネル１５０がパチンコ遊技機１００上方の島設備６００の前面に設けられるのに対し、パチンコ店のシステムでは操作パネル１５０は不要とされ代わりに同一箇所に呼出しスイッチボタン１６１や表示ランプ１６２等が設けられる。
　第３に、パチンコ店のシステムではいわゆるサンドイッチと呼ばれる玉貸機７００がパチンコ遊技機１００とパチンコ遊技機１００との間に設けられ、その中の例えば硬貨検出器が特殊スイッチＳＷ１１とされるのに対し、メーカのシステムでは玉貸機が不要とされる。さらに、パチンコ店のシステム例を示す第１８図の実施例では玉貸機７００とパチンコ遊技機１００との間に打止表示板を差し込むための表示板差込口１７１が設けられ、その奥部に特殊スイッチＳＷ１２としてのマイクロスイッチが配置される。」（第１２頁左下欄第１４行目〜第１３頁左上欄第３行目）
　
「［発明の効果］
　以上説明したように、この発明は遊技機に設けられた検出器および制御装置から出力される信号が入力可能な入力端子と、入力された信号と同一形式の信号を出力する第１の出力端子と、入力された信号を次段のサンプリング手段に適した形式に変換する信号変換手段および変換された信号を出力する第２の出力端子とを備えた信号変換器を用いて遊技機に設けられた検出器および制御装置から出力される信号を抽出するようにしたので、新たに検出器を追加したり、遊技機を改造することなく、しかも遊技状態に影響を与えることなく正確に信号を抽出してデータを収集することが可能となるとともに、メーカおよびパチンコ店のいずれのシステムにも適用することが可能となるという効果がある。」（第１５頁右下欄第１〜１６行目）
　
　上記記載事項及び図面によれば、引用例１には次の発明（以下、「引用発明１」という。）が記載されている。
「パチンコ遊技機１００の遊技盤もしくはその裏面に設けられた各種入賞球検出器からの検出信号およびパチンコ遊技機１００の裏機構盤に設けられた遊技盤上の役物やランプを駆動するための役物制御装置１４０から出力される各種制御信号が、信号変換器２００ａ〜２００ｉを介して、バッファユニット３００に入力され、稼動データとしてサンプリングされ、このバッファユニット３００に保持されたデータはマルチプレクサＭＰＸ２を介して、データ収集装置４００によって読み取られ、データ収集装置４００で収集されたデータは、通信手段によって演算処理装置５００に渡され、各パチンコ遊技機の成績を知るのに判り易い形式に加工されるデータ収集システムにおいて、
　前記信号変換器２００ａ〜２００ｉは、後段の前記バッファユニット３００に適した信号に変換する機能とを備え、
　前記バッファユニット３００はパチンコ店のシステムでは島設備６００の内部に配置され、
　前記バッファユニット３００は、信号変換器２００ａ〜２００ｉを介してパチンコ遊技機から入力される信号を記憶し、所定のパルスを形成して出力するデータ収集システム。」
　
（２）原査定の拒絶理由に引用された刊行物である特開平５−１４６５５２号公報（以下、「引用例２」という。）の記載事項
「【０００７】次に、管理装置１のデータ収集およびデータ表示に関連した機能につき、図２のブロックに基づいて説明する。尚、この図２においては図示を省略したが、各収集データや加工データ等は必要に応じて蓄積されるものとしてある。この管理装置１の主要部は総合管理制御部８であり、各遊技機１０１…より随時入力される遊技情報を収集・加工すると共に、コンソール５を介して入力される管理者の表示要求に応じて、所要の遊技情報等をＣＲＴディスプレイ６やプリンタ７等へ表示出力するのである。
【０００８】なお、この管理装置１へ入力される遊技機１０１…は、多メーカー多機種におよび、各遊技機１０１毎に得られる遊技情報は、当該遊技機１０１の遊技特性等に応じて異なるため、これら遊技機１０１…より入力される遊技情報を収集・加工するためのデータ収集処理制御手段９…は、各遊技機の種別に応じて収集する遊技情報や加工処理の行程等を適宜に設定変更する場合もある。
【０００９】例えば、図２に示す如く、各遊技機１０１を大きく４タイプ（第１タイプ〜第４タイプ遊技機１０１ａ〜１０１ｄ）に分けるものとした場合に、各遊技機１０１の特性をタイプ別に例示する。
【００１０】特定の入賞口に入賞することに基づいて可変表示装置が作動する補助遊技が開始され、この可変表示装置の停止図柄が賞態様を形成した場合に、変動入賞装置が遊技者にとって不利な第１状態から遊技者にとって有利な第２状態に変換される特別遊技が開始されるものが第１タイプの遊技機１０１ａである。特定の始動口に打球が入賞することに基づいて、変動入賞装置が第２状態に短時間だけ変換され、該変動入賞装置内に設けられた特定入賞口に入賞することに基づいて、比較的長時間変動入賞装置が第２状態に変換される特別遊技が開始されるものが第２タイプの遊技機１０１ｂである。遊技部内に設けられた特別入賞口に入賞することで、特別遊技の権利が発生し、この権利発生中に始動入賞口に入賞することで、変動入賞装置が第２状態に変換されるものが第３タイプの遊技機１０１ｃである。遊技盤の遊技部内に植設した障害釘を調整することなく、遊技者への排出賞球量を調整することにより、遊技盤の遊技部内へ有効に発射された有効発射球数と、遊技盤の遊技部内へ設けられた各種入賞領域への入賞に基づく排出賞球数との比から得られる現行ベース値を、予め設定した設定ベース値に近づけるように、遊技制御を行うことが可能なものが第４タイプの遊技機１０１ｄである。
【００１１】そして、各タイプの遊技機１０１ａ〜１０１ｄに応じた遊技情報が取得可能で、且つ当該遊技情報の加工処理が可能なように、第１タイプの遊技機１０１ａに対してはデータ収集処理制御手段９ａを、第２タイプの遊技機１０１ｂに対してはデータ収集処理制御手段９ｂを、第３タイプの遊技機１０１ｃに対してはデータ収集処理制御手段９ｃを、第４タイプの遊技機１０１ｄにはデータ収集処理制御手段９ｄを、夫々１対１の対応関係が成立するように設けてある。なお、データ主集処理制御手段９ａ〜９ｄは、収集可能な遊技情報や、当該遊技情報の加工処理手順等を後に設定することで、各遊技機１０１ａ〜１０１ｄに対応できるように、汎用性を持たせて構成することが望ましい。」
　
　上記記載事項及び図面によれば、引用例２には次の発明（以下、「引用発明２」という。）が記載されている。
「各遊技機１０１…より随時入力される遊技情報を収集・加工する管理装置１において、
　各タイプの遊技機１０１ａ〜１０１ｄに応じた遊技情報が取得可能で、且つ当該遊技情報の加工処理が可能なように、第１タイプの遊技機１０１ａに対してはデータ収集処理制御手段９ａを、第２タイプの遊技機１０１ｂに対してはデータ収集処理制御手段９ｂを、第３タイプの遊技機１０１ｃに対してはデータ収集処理制御手段９ｃを、第４タイプの遊技機１０１ｄにはデータ収集処理制御手段９ｄを、夫々１対１の対応関係が成立するように設けてあり、
　この管理装置１へ入力される遊技機１０１…は、多メーカー多機種におよび、各遊技機１０１毎に得られる遊技情報は、当該遊技機１０１の遊技特性等に応じて異なるため、これら遊技機１０１…より入力される遊技情報を収集・加工するためのデータ収集処理制御手段９…は、各遊技機の種別に応じて収集する遊技情報や加工処理の行程等を適宜に設定変更する場合もある管理装置１。」
　
３．対比
　本願発明と引用発明１を対比する。
　引用発明１における「パチンコ遊技機」は、本願発明の「賞球遊技台（２）」に相当し、以下同様に、「稼動データ」は「各種遊技情報データ」に、「データ収集装置４００」と「演算処理装置５００」からなる構成は「遊技情報データ管理装置（７）」に、「データ収集システム」は「賞球遊技台の集中管理装置」にそれぞれ相当する。
　
　そして、引用発明１の「パチンコ遊技機」は、「パチンコ店のシステムでは島設備６００」として構成されていることから（引用例１の図１８参照。）、「賞球遊技場内に配設された島に並設された賞球遊技台」といえる。
　
　また、引用発明１は、「パチンコ遊技機１００の遊技盤もしくはその裏面に設けられた各種入賞球検出器からの検出信号およびパチンコ遊技機１００の裏機構盤に設けられた遊技盤上の役物やランプを駆動するための役物制御装置１４０から出力される各種制御信号が、信号変換器２００ａ〜２００ｉを介して、バッファユニット３００に入力され、稼動データとしてサンプリングされ、このバッファユニット３００に保持されたデータはマルチプレクサＭＰＸ２を介して、データ収集装置４００によって読み取られ」るものであるから、各賞球遊技台（パチンコ遊技機１００）と遊技情報データ管理装置（データ収集装置４００）間に設けられた通信路を備えたものといえる。
　
　さらに、引用発明１は、「信号変換器２００ａ〜２００ｉは、後段のバッファユニット３００に適した信号に変換する機能を備え、前記バッファユニット３００はパチンコ店のシステムでは島設備６００の内部に配置され、前記バッファユニット３００は、信号変換器２００ａ〜２００ｉを介してパチンコ遊技機から入力される信号を記憶し、所定のパルスを形成して出力する」ものであって、引用発明１の「信号変換器２００ａ〜２００ｉ」と「バッファユニット３００」からなる構成は本願発明の「遊技情報データ読取装置（５）」に相当するから、引用発明１と本願発明とは「島の通信路には、各賞球遊技台から出力され、且つ通信路を介して遊技情報データ管理装置へと入力される各種遊技情報データを各賞球遊技台と前記遊技情報データ管理装置との間で読み取ることで、各賞球遊技台毎に各種処理信号又は各賞球遊技台毎に各種処理データの少なくとも何れか一方を発する遊技情報データ読取処理装置が各賞球遊技台に対応すべく接続されてなる」ものである点で共通する。
　
　したがって、両者は
「賞球遊技場内に配設された島に並設された賞球遊技台から出力される各種遊技情報データを管理すべく設置された遊技情報データ管理装置と、
　該遊技情報データ管理装置に前記各賞球遊技台から出力された各種遊技情報データを送り込むべく各賞球遊技台と前記遊技情報データ管理装置間に設けられた通信路とを備えた賞球遊技台の集中管理装置において、
　前記島の通信路には、各賞球遊技台から出力され、且つ通信路を介して前記遊技情報データ管理装置へと入力される各種遊技情報データを各賞球遊技台と前記遊技情報データ管理装置との間で読み取ることで、各賞球遊技台毎に各種処理信号又は各賞球遊技台毎に各種処理データの少なくとも何れか一方を発する遊技情報データ読取処理装置が各賞球遊技台に対応すべく接続されてなる賞球遊技台の集中管理装置。」
の点で一致し、以下の点で相違する。
　
＜相違点１＞　
　本願発明は、遊技情報データ管理装置（７）が、賞球遊技場に設置され、しかも該遊技情報データ管理装置（７）が、賞球遊技台（２）を島単位で管理すべく各島（６）に設けられた島コンピュータ（７ａ）と該島コンピュータ（７ａ）を夫々管理すべく賞球遊技場に設置された店舗管理コンピュータ（７ｂ）とからなるものであって、遊技情報データ読取処理装置（５）が、島コンピュータ（７ａ）へと入力される各種遊技情報データを各賞球遊技台（２）と島コンピュータ（７ａ）との間で読み取るものであるのに対して、引用発明１では、遊技情報データ管理装置が、賞球遊技場に設置されるものか否か明らかでなく、また、該遊技情報データ管理装置が、島コンピュータと店舗管理コンピュータとからなるものであるか否か不明な点。
　
＜相違点２＞
　本願発明は、遊技情報データ読取処理装置が、各賞球遊技台（２）毎に予め設定された各種のデータ処理項目に対応した各種処理信号又は各賞球遊技台（２）毎に予め設定された各種のデータ処理項目に対応した各種処理データの少なくとも何れか一方を発して各種遊技情報データを加工処理するものであるのに対して、引用発明１は、遊技情報データ読取処理装置（信号変換器２００ａ〜２００ｉとバッファユニット３００）が、予め設定された各種のデータ処理項目に対応するように各種遊技情報データを加工処理するものであるのか否か不明な点。
　
４．判断
　上記相違点について検討する。
＜相違点１について＞
　遊技情報データ管理装置を賞球遊技場に設置し、賞球遊技台を島単位で管理すべく各島に設けられた島コンピュータと該島コンピュータを夫々管理すべく賞球遊技場に設置された店舗管理コンピュータとからなるもので構成することは、例えば、特開平８−１１２４２３号公報（各島用管理コンピュータ３５０がホール用管理コンピュータ２７０に接続されている。）及び特開平８−６６５３６号公報（各島毎に島コンピュータ２が設置されると共に、遊技場内に設置された各機器を一括管理するためのホストコンピュータ３が設置されている。）に記載されているように周知技術であって、この周知技術を引用発明１に適用することは当業者が容易になし得るものである。そして、そのようにすれば、遊技情報データ読取処理装置が、島コンピュータへと入力される各種遊技情報データを各賞球遊技台と島コンピュータとの間で読み取るものとなる。
　
＜相違点２について＞
  本願発明と引用発明２を対比すると、引用発明２における「遊技機１０１」は、本願発明の「各賞球遊技台」に相当し、以下同様に、「遊技情報」は「各種遊技情報データ」に、「管理装置１」は「遊技情報データ管理装置」に、「データ収集処理制御手段９」は「遊技情報データ読取処理装置」に相当する。
　
　そして、引用発明２は、遊技機１０１…より入力される遊技情報を収集・加工するためのデータ収集処理制御手段９…は、各遊技機の種別に応じて収集する遊技情報や加工処理の行程等を適宜に設定変更する場合もあることから、「遊技情報データ読取処理装置（データ収集処理制御手段９）は、各賞球遊技台（遊技機１０１）毎に予め設定された各種のデータ処理項目に対応した各種処理信号又は各賞球遊技台（遊技機１０１）毎に予め設定された各種のデータ処理項目に対応した各種処理データの少なくとも何れか一方を発して各種遊技情報データを加工処理する」という技術事項が開示されているものといえる。
　
　ただし、引用発明２は、各種遊技情報データを加工処理する遊技情報データ読み取り処理装置（データ収集処理制御手段１０１）は、各賞球遊技台（遊技機１０１）側でなく、遊技情報データ管理装置（管理装置１）側に設けられている。
　
　しかしながら、各賞球遊技台側に各種遊技情報データを加工処理する手段を設けることは、例えば、特開平７−２７５４６５号公報（管理装置に出力すべき遊技情報をパチンコ遊技機１の遊技情報出力手段Ａによって加工し、出力する。）及び特開平８−１５５１２１号公報（端末情報制御装置６によって予め定めた加工データに加工し、管理制御装置１へ送信する。）に記載されているように周知技術であるので、この周知技術を勘案すれば、引用発明１の遊技情報データ読取処理装置に、引用発明２に開示されている上記技術事項を適用することは、当業者が容易になし得るものである。
　
　また、本願発明の作用効果も、引用発明１、引用発明２及び周知技術から当業者が予測できる範囲のものである。
　
　したがって、本願発明は、引用発明１、引用発明２及び周知技術に基づいて、当業者が容易に発明をすることができたものである。
　
５．むすび  
　以上のとおり、本願発明は、引用発明１、引用発明２及び周知技術に基づいて当業者が容易に発明をすることができたものであるから、特許法第２９条第２項の規定により特許を受けることができない。 
　したがって、本願は、他の請求項に係る発明について検討するまでもなく拒絶をすべきものである。 
　よって、結論のとおり審決する。